(57)【特許請求の範囲】
【請求項１】
カードと接続する導電性のコンタクトと、該コンタクトを保持したベースインシュレータと、前記カードを前記コンタクトに向けて押圧して接触する導電板からなるカバー部材とを含むカード用コネクタにおいて、
前記ベースインシュレータは、前記カバー部材を回転自在にかつスライド自在に保持する一対の軸受部を有し、
前記ベースインシュレータには、前記カバー部材を前記ベースインシュレータ上へ回転させた後に前記カバー部材を第１のスライド方向へスライドさせることによって前記カバー部材と係合して前記カバー部材をロック状態とするロック部材と、前記ベースインシュレータ上へ前記カバー部材を回転させた際に前記カバー部材を開放させる方向へ付勢する弾性部材とが設けられており、
前記ロック部材は、前記カバー部材を前記第１のスライド方向とは逆向きの第２のスライド方向への移動を阻止するように前記カバー部材と係合するロック部と、接続対象物と接続する第４端子部とを有し、
前記カバー部材は、前記一対の軸受部のそれぞれに保持される一対の軸部を有し、
前記軸受部の一方は、前記カバー部材をロックした際に前記軸部の一方と接続する第１接続部と、前記カバー部材を前記第２のスライド方向へ移動した後に前記カバー部材を開放させる方向へ回転させた際に前記軸部の一方と接続する第２接続部とを有し、
前記軸部は、金属からなる前記軸受部の前記第１接続部及び前記第２接続部とに接続し、
前記弾性部材は、前記ベースインシュレータ上へ前記カバー部材を回転させた際に、前記カバー部材を開放する方向へ付勢する当接部と、前記接続対象物と接続する第１端子部とを有することを特徴とするカード用コネクタ。
【請求項２】
請求項１記載のカード用コネクタにおいて、前記第２接続部は、前記接続対象物と接続する第２端子部を有し、前記軸受部の他方には前記軸部の他方と接続する第３接続部を有し、前記軸部の他方と接続する前記第３接続部は前記接続対象物と接続する第３端子部を有していることを特徴とするカード用コネクタ。
【発明の詳細な説明】
【技術分野】
【０００１】
本発明は、カードを接続対象物に接続するために用いるカード用コネクタに関する。
【背景技術】
【０００２】
従来のカードを接続するコネクタとしては、カバーによってカードをロックする接続装置が開示されている（たとえば、特許文献１を参照）。
【０００３】
また、従来のカードを接続するコネクタとしては、カバーレール部の一つのバネ片により端子間を接続する接続装置が開示されている（たとえば、特許文献２を参照）。
【０００４】
【特許文献１】米国特許第５，３２０，５５２号公報
【特許文献２】米国特許第５，７１８，６０９号公報
【発明の開示】
【発明が解決しようとする課題】
【０００５】
特許文献１は、カードを挿入する状態において、カバーのロックが不十分であり、衝撃の大きさ、方向によっては、カバーが開放されカードとの接続を維持できないという問題がある。
【０００６】
特許文献２は、カバーレール部の一つのバネ片により端子間を接続する構造であるが、この場合、回路上におけるグランド接続が一点となり、シールド効果が低く、ＥＭＩ対策としては不十分である。
【課題を解決するための手段】
【０００７】
本発明は、カードと接続する導電性のコンタクトと、該コンタクトを保持したベースインシュレータと、前記カードを前記コンタクトに向けて押圧して接触する導電板からなるカバー部材とを含むカード用コネクタにおいて、前記ベースインシュレータは、前記カバー部材を回転自在にかつスライド自在に保持する一対の軸受部を有し、前記ベースインシュレータには、前記カバー部材を前記ベースインシュレータ上へ回転させた後に前記カバー部材を第１のスライド方向へスライドさせることによって前記カバー部材と係合して前記カバー部材をロック状態とするロック部材と、前記ベースインシュレータ上へ前記カバー部材を回転させた際に前記カバー部材を開放させる方向へ付勢する弾性部材とが設けられており、前記ロック部材は、前記カバー部材を前記第１のスライド方向とは逆向きの第２のスライド方向への移動を阻止するように前記カバー部材と係合するロック部と、接続対象物と接続する第４端子部とを有し、前記カバー部材は、前記一対の軸受部のそれぞれに保持される一対の軸部を有し、前記軸受部の一方は、前記カバー部材をロックした際に前記軸部の一方と接続する第１接続部と、前記カバー部材を前記第２のスライド方向へ移動した後に前記カバー部材を開放させる方向へ回転させた際に前記軸部の一方と接続する第２接続部とを有し、前記軸部は、金属からなる前記軸受部の前記第１接続部及び前記第２接続部とに接続し、前記弾性部材は、前記ベースインシュレータ上へ前記カバー部材を回転させた際に、前記カバー部材を開放する方向へ付勢する当接部と、前記接続対象物と接続する第１端子部とを有するカード用コネクタであることを最も主要な特徴とする。
【発明の効果】
【０００８】
本発明によれば、ベースインシュレータのロック部材にカバー部材をロックすることによってカバー部材がスライド方向へ移動するのを阻止するため、落下などの激しい衝撃によってカバー部材が開放するのを防止することができるという利点がある。
【０００９】
また、ロック部材のロック部と、カバー部材の軸部及びこの軸部を保持するベースインシュレータの軸受部との構成により、カバー部材から接続対象物へ４点以上でグランド接続することが可能となる。
【００１０】
さらに、カバー部材をベースインシュレータにロックする構造と多数点でのグランド接続によりＥＭＩ対策ができ、カバー部材のロックの位置を検知するスイッチを構成することができる。
【発明を実施するための最良の形態】
【００１１】
本発明のカード用コネクタは、カードと接続する導電性のコンタクトと、該コンタクトを保持したベースインシュレータと、前記カードを前記コンタクトに向けて押圧して接触する導電板からなるカバー部材とを含むカード用コネクタにおいて、前記ベースインシュレータは、前記カバー部材を回転自在にかつスライド自在に保持する一対の軸受部を有し、前記ベースインシュレータには、前記カバー部材を前記ベースインシュレータ上へ回転させた後に前記カバー部材を第１のスライド方向へスライドさせることによって前記カバー部材と係合して前記カバー部材をロック状態とするロック部材と、前記ベースインシュレータ上へ前記カバー部材を回転させた際に前記カバー部材を開放させる方向へ付勢する弾性部材とが設けられており、前記ロック部材は、前記カバー部材を前記第１のスライド方向とは逆向きの第２のスライド方向への移動を阻止するように前記カバー部材と係合するロック部と、接続対象物と接続する第４端子部とを有し、前記カバー部材は、前記一対の軸受部のそれぞれに保持される一対の軸部を有し、前記軸受部の一方は、前記カバー部材をロックした際に前記軸部の一方と接続する第１接続部と、前記カバー部材を前記第２のスライド方向へ移動した後に前記カバー部材を開放させる方向へ回転させた際に前記軸部の一方と接続する第２接続部とを有し、前記軸部は、金属からなる前記軸受部の前記第１接続部及び前記第２接続部とに接続し、前記弾性部材は、前記ベースインシュレータ上へ前記カバー部材を回転させた際に、前記カバー部材を開放する方向へ付勢する当接部と、前記接続対象物と接続する第１端子部とを有することにより実現した。
【実施例１】
【００１２】
図１乃至図５は、カード用コネクタの実施例１を示している。図１乃至図５を参照して、カード用コネクタは、複数本からなる導電性のコンタクト１１，１２と、これらのコンタクト１１，１２を保持している略板形状のベースインシュレータ１３と、カード２１（図３を参照）をコンタクト１１，１２に向けて押圧することにより、カード２１とコンタクト１１，１２とを接触させるカバー部材２５とを備えている。
【００１３】
以下、カバー部材２５を取り除いた形態で、コンタクト１１，１２を保持しているベースインシュレータ１３を示す図６乃至図８をも参照して説明する。コンタクト１１及びコンタクト１２は、コンタクト１１及びコンタクト１２同士の先端が対向するようにかつベースインシュレータ１３に並列に間隔をもって配列されている。コンタクト１１，１２は、ベースインシュレータ１３の一面上に位置している接触部１１ａ，１２ａと、端子部１１ｂ，１２ｂとを有する。
【００１４】
接触部１１ａ，１２ａは、ベースインシュレータ１３上にカード２１が設けられたときに、ベースインシュレータ１３の一面に対向させて設けられるカード２１の接点部２１ａ（図３を参照）のそれぞれと接触する。
【００１５】
ベースインシュレータ１３には、ベースインシュレータ１３に対して回転自在に、かつベースインシュレータ１３に対して第１のスライド方向Ａ（図３の矢印Ａを参照）、及び第１のスライド方向Ａとは逆向きの第２のスライド方向Ｂ（図３の矢印Ｂを参照）へスライド自在にカバー部材２５が保持されている。ベースインシュレータ１３には、カバー部材２５が係合してロック状態とするロック部材３１と、カバー部材２５を開放する方向（図３の矢印II方向）へテンションをかける弾性部材３７とが設けられている。さらに、ベースインシュレータ１３には、カード２１を受容するように第１及び第２のスライド方向Ａ、Ｂの両側のそれぞれにカードガイド部１３ｅ，１３ｆが形成されている。
【００１６】
カバー部材２５は、ベースインシュレータ１３上でカード２１を挟み込むように閉じる方向（図３の矢印Ｉ方向）へ回転させた後に、カバー部材２５を第１のスライド方向Ａへスライドさせるとカバー部材２５がロック部材３１と係合してロックする。
【００１７】
ロック部材３１は金属片によって作られている。弾性部材３７は、弾性を有する長板形状のバネ片であり、カバー部材２５と接続してカバー部材２５をベースインシュレータ１３上から回転（図３の矢印ＩＩ方向）させることによってベースインシュレータ１３上を開放する方向へ付勢する当接部３７ａと、図２に示した接続対象物５１と接続する第１端子部３７ｂとを有している。
【００１８】
さらに、図７、図９及び図１０にも示すように、第２のスライド方向Ｂにおけるベースインシュレータ１３の前方側には、第１及び第２のスライド方向Ａ、Ｂと直交する方向の両側に長穴形状の一対の軸受部１３ｇが形成されている。
【００１９】
ベースインシュレータ１３は、図１０にも示すように、カバー部材２５をロックした際に、カバー部材２５に設けられている一対の軸部２５ｄの一方と接続する第１接続部３７ｅを軸受部１３ｇの一方に有している。
【００２０】
軸受部１３ｇの一方は、カバー部材２５を図３に示した矢印II方向へ回転して開放した時に軸部２５ｄの一方と接続する第２接続部２５ｅを有している。第２接続部２５ｅは、接続対象物５１と接続する第２端子部２５ｆを有している。
【００２１】
軸受部１３ｇの他方は、他方の軸部２５ｄと接続する第３接続部１３ｊを有している。第３接続部１３ｊは、接続対象物５１と接続する第３端子部１３ｍを有している。
【００２２】
ベースインシュレータ１３の軸受部１３ｇのそれぞれは、カバー部材２５の軸部２５ｄのそれぞれを保持する。軸受部１３ｇは、図１０及び図１１に示すように、軸受部１３ｇの側壁に少なくとも一つ以上の金属片４１をもつ。金属片４１の一端部はロック時及び開放時にカバー部材２５の軸部２５ｄの上面の接点部２５ｐと電気的に接続する。金属片４１の他端には、接続対象物５１に半田付けするための端子部が形成されている。
【００２３】
金属片４１は、略側面Ｌ字形にもしくはコの字形とし，少なくとも二点以上でカバー部材２５の軸部２５ｄと接触する接点部２５ｐをもつ。金属片４１は、その配置の組み合わせによりカバー部材２５の位置（ロック位置又は開放位置）を検出するスイッチとなる。
【００２４】
ベースインシュレータ１３には、コンタクト１１の端子部１１ｂと並行になるように第２端子部２５ｆと第３端子部１３ｍとが設けられている。第２端子部２５ｆ又は第３端子部１３ｍは、ロック時において弾性部材３７に接続されていないことによってスイッチがＯＦＦとなる。また、カバー部材２５が開放しているときには、第２端子部２５ｆ又は第３端子部１３ｍが弾性部材３７の第１端子部３７ｂと接続されることによってスイッチがＯＮとなる。
【００２５】
ロック部材３１は、カバー部材２５をスライド方向Ａへ移動させたときにロックする爪形状のロック部３１ａと、接続対象物５１と接続する第４端子部３１ｂとを有している。
【００２６】
ロック部３１ａは、カバー部材２５を第１のスライド方向Ａとは逆向きの第２のスライド方向Ｂ（図３を参照）への移動を阻止するようにカバー部材２５と係合する。第４端子部３１ｂは、接続対象物５１（図２を参照）と半田によってグランド接続する。
【００２７】
なお、この実施例における接続対象物５１は、プリント回路基板である。また、接続対象物５１としては、ＦＰＣ（フレキシブル・プリンテッド・サーキット）であってもよい。
【００２８】
カバー部材２５は、導電板によって形成されている。カバー部材２５には、図１２乃至図１６にも示すように、一体成型された軸部２５ｄと、カード２１を入れるレール部２５ｍ，２５ｎとが形成されている。さらに、カバー部材２５のレール部２５ｍ，２５ｎの一部には、ロック部材３１のロック部３１ａとロックするように両外側に張り出したフランジ形状のロック受部２５ａを具備する。一方のレール部２５ｎは、ベースインシュレータ１３へカバー部材２５を図３に示した矢印I方向へ回転させた際に弾性部材３７の当接部３７ａと当接し、当接部３７ａがカバー部材２５を開放する方向へ付勢する。ロック受部２５ａには、ロック穴２５ｇが形成されている。
【００２９】
カバー部材２５を閉じる方向へ回転させた後、カバー部材２５を第１のスライド方向Ａへスライドさせることによってカバー部材２５のロック穴２５ｇとロック部材３１のロック部３１ａとが係合しロックされる。この状態は、図１及び図２に示したとおりである。なお、図１７は、カバー部材２５の軸部２５ｄが第１接続部３７ｅに当接している状態を示している。
【００３０】
図１８乃至図２０は、図１及び図２に示したロック状態からカバー部材２５を開放する過程を示している。ロック状態からカバー部材２５を開放するには、図１８に示したカバー部材２５のロック受部２５ａのロック穴２５ｇとロック部材３１のロック部３１ａとが係合しロックされている状態から、図１９に示すように、カバー部材２５をベースインシュレータ１３の一面方向（図１９の矢印方向）へ押圧すると、カバー部材２５のロック受部２５ａのロック穴２５ｇからロック部材３１のロック部３１ａの係合が外れる。その後、図２０に示したように、カバー部材２５を第２のスライド方向Ｂへ少し移動させることによってロック状態からカバー部材２５を開放することができる。
【産業上の利用可能性】
【００３１】
本発明は、チップカード、ＩＣカード、ＳＩＭカードなどとの接続に用いるコネクタとして適用できる。
【図面の簡単な説明】
【００３２】
【図１】本発明のカード用コネクタを示す平面図である（実施例１）。
【図２】図１に示したカード用コネクタの正面図である。
【図３】図１に示したカード用コネクタとカードとを示し、カバー部材の回転を説明するための正面図である。
【図４】図１に示したカード用コネクタの右側面図である。
【図５】図１に示したカード用コネクタの裏面図である。
【図６】図１に示したカード用コネクタにおいてカバー部材を除いた状態の平面図である。
【図７】図６に示したカード用コネクタの正面図である。
【図８】図７に示したカード用コネクタの右側面図である。
【図９】図７に示したベースインシュレータ及びコンタクトの一部を拡大して示した断面図である。
【図１０】図７に示したベースインシュレータの軸部を拡大して示した断面図である。
【図１１】図７に示したベースインシュレータの軸受部内の金属片とカバー部材の軸部との係合状態を示す要部のみの拡大図である。
【図１２】図1に示したカバー部材を示した平面図である。
【図１３】図１２に示したカバー部材を示した正面図である。
【図１４】図1２に示したカバー部材の右側面図である。
【図１５】図1２に示したカバー部材の左側面図である。
【図１６】図1２に示したカバー部材の裏面図である。
【図１７】図1２に示したカバー部材の接触を説明するための説明図である。
【図１８】図３に示したベースインシュレータとカバー部材とのロック状態を拡大して一部を示した正面図である。
【図１９】図１８に示したカバー部材のロック状態を解除する途中の状態を示した正面図である。
【図２０】図１９に示したカバー部材のロック状態を解除する途中の状態からカバー部材をスライドした状態を示した正面図である。
【符号の説明】
【００３３】
１１，１２    コンタクト
１１ａ，１２ａ    接触部
１３    ベースインシュレータ
１３ｅ，１３ｆ    カードガイド部
１３ｇ    軸受部
１３ｊ    第３接続部
１３ｍ    第３端子部
２１    カード
２５    カバー部材
２５ａ    ロック受部
２５ｄ    軸部
２５ｅ    第２接続部
２５ｆ    第２端子部
２５ｇ    ロック穴
２５ｍ，２５ｎ    レール部
２５ｐ    接点部
３１    ロック部材
３１ａ    ロック部
３１ｂ 第４端子部
３７    弾性部材
３７ａ    当接部
３７ｂ    第１端子部
３７ｅ    第１接続部
４１    金属片
５１    接続対象物
【図１】
0004073026.tif 000002
【図２】
0004073026.tif 000003
【図３】
0004073026.tif 000004
【図４】
0004073026.tif 000005
【図５】
0004073026.tif 000006
【図６】
0004073026.tif 000007
【図７】
0004073026.tif 000008
【図８】
0004073026.tif 000009
【図９】
0004073026.tif 000010
【図１０】
0004073026.tif 000011
【図１１】
0004073026.tif 000012
【図１２】
0004073026.tif 000013
【図１３】
0004073026.tif 000014
【図１４】
0004073026.tif 000015
【図１５】
0004073026.tif 000016
【図１６】
0004073026.tif 000017
【図１７】
0004073026.tif 000018
【図１８】
0004073026.tif 000019
【図１９】
0004073026.tif 000020
【図２０】
0004073026.tif 000021